(57)【特許請求の範囲】
【請求項１】
肘を掛けるための肘掛部と、これを壁面に取り付けるための取付け部からなる長尺の手摺りであって、該取付け部は、壁面に当接する当接面と、該当接面の上、下部でそれぞれに連続する上部水平部及び下部水平部と、この上部水平部と上記肘掛部の上部との間に連設される上部傾斜固定部と、上記下部水平部と上記肘掛部の下部との間に連設される下部傾斜固定部と、から構成されており、上部傾斜固定部及び下部傾斜固定部がそれぞれの傾斜面に対して垂直方向に壁面にネジ留め可能とされていて、下部水平部の幅方向寸法を上部水平部の幅方向寸法よりも大きく形成したことを特徴とする肘掛け手摺り。
【請求項２】
上記上部傾斜固定部には、ネジ螺入凹部を設けるとともに、このネジ螺入凹部にネジキャップが嵌装可能とされた、請求項１記載の肘掛け手摺り。
【請求項３】
上記上部傾斜固定部には、複数のネジを螺入できる長尺のネジ螺入溝部を設けるとともに、このネジ螺入溝部にネジカバーが装着可能とされた、請求項１記載の肘掛け手摺り。
【請求項４】
上記当接面下部に連続する下部水平部を長手方向に切欠し、腰壁の上端部を挿入する挿入部が設けられた、請求項１記載の肘掛け手摺り。
【請求項５】
上記肘掛部の幅方向端部が膨出部とされた、請求項１記載の肘掛け手摺り。
【発明の詳細な説明】
【０００１】
【発明の属する技術分野】
本発明は、手摺りに関する。さらに詳しくは、腰壁等の見切りとすることの可能な、肘掛部を備えた手摺りに関する。
【０００２】
【従来の技術】
住宅の廊下等の腰壁に、手摺りを設置することは従来から行なわれているが、近年、高齢化社会をむかえて、高齢者等の屋内での移動を容易にするため、手摺りに、さらに、肘や手を掛けるための手当たり部を設けた手摺りが開示されている。例えば、特開平１０−８２１５４号公報には、図６の側断面図によって表される手摺りが開示されている。図６に示す手摺り６１は、手当たり部６２と、腰壁等の手摺り取付部材６６の引っかけ部６７に引っかけるように係合するフック部６３と、該手摺り取付け部材６６に固定するための固定部６４から構成され、この手摺り６１は固定部材６５によって壁面６８に取付けられている。上記手摺り６１においては、通常、上から下への荷重が加わるため、引っかけ部６７とフック部６３が係合する係合部と、固定部材６５の２個所で上記荷重に耐える構造とされている。
【０００３】
【発明が解決しようとする課題】
しかしながら、上記従来技術においては、例えば、腰壁の上部に引っかけ部を設ける必要があるため、腰壁を製造あるいは、施工する際、余計な手間を要し、作業性が悪いという問題がある。また、手摺りにもフック部を設けなければならず、手摺りの形状が複雑となるとともに、これらをガタつかないようぴったりと係合する必要があり、取付け作業が困難という問題もある。そこで、本発明は、上記問題を解決して、簡単な構造で、容易に、かつ、迅速に取付け作業ができるとともに、腰壁の見切りとすることの可能な肘掛け手摺りを提供することを、その課題とする。
【０００４】
【課題を解決するための手段】
上記課題を解決するために、本発明においては、つぎのような技術的手段を講じている。すなわち、本発明によれば、肘を掛けるための肘掛部と、これを壁面に取り付けるための取付け部からなる長尺の手摺りであって、該取付け部は、壁面に当接する当接面と、該当接面の上、下部でそれぞれに連続する上部水平部及び下部水平部と、この上部水平部と上記肘掛部の上部との間に連設される上部傾斜固定部と、上記下部水平部と上記肘掛部の下部との間に連設される下部傾斜固定部と、から構成されており、上部傾斜固定部及び下部傾斜固定部がそれぞれの傾斜面に対して垂直方向に壁面にネジ留め可能とされていて、下部水平部の幅方向寸法を上部水平部の幅方向寸法よりも大きく形成したことを特徴とする肘掛け手摺りが提供される。
【０００５】
上記のように構成された上部傾斜固定部の傾斜面に対して垂直方向にネジを螺入し、壁面に対しては、斜め下方向にネジ留めすることにより、しっかりと肘掛け手摺りを壁面に固定することができる。また、上部傾斜固定部及び下部傾斜固定部のそれぞれの傾斜面に対して垂直方向にネジを螺入し、壁面に対しては、斜下方向及び斜め上方向に、相互に交叉するようにネジ留めすることにより、さらに、しっかりと肘掛け手摺りを壁面に固定することができる。
【０００６】
上記上部傾斜固定部には、ネジ螺入凹部を設けるとともに、このネジ螺入凹部にネジキャップが嵌装される。また、ネジキャップに代えて上記上部傾斜固定部に、複数のネジを螺入できる長尺の上部ネジ螺入溝部を設けるとともに、この上部ネジ螺入溝部にネジカバーを装着可能としてもよい。このようにすることにより、ネジの頭が外部から見えることはなく、デザイン的に優れたものとなる。
【０００７】
上記取付け部の当接面下部に連続する下部水平部を長手方向に切欠し、腰壁の上端部を挿入するための挿入部が設けられることが好ましい。このようにすることによって、上記腰壁の上端部を肘掛け手摺りで見切ることができ、また、肘掛け手摺りが上記腰壁の上端部によって支持されるため、肘を掛けたときの荷重を支えるとともに、しっかりと、肘掛け手摺りを壁面に固定することができる。
【０００８】
上記肘掛部の幅方向端部を膨出部とすることが好ましい。膨出部を設けることによって、手を掛け易くなり、また、肘を掛けた場合もこの膨出部がガードとなって、使用感が向上するとともに、デザイン的にも優れた肘掛け手摺りとすることができる。
【０００９】
【発明の実施の形態】
以下、本発明の好ましい実施の形態について、図面を参照してより詳細に説明する。図１は本発明にかかる肘掛け手摺りの一実施形態を表す斜視図である。図１において、肘掛け手摺りＡは、肘を掛けるための肘掛部２と、これを壁面に取り付けるための取付け部１からなり、該取付け部１は  壁面に当接する当接面１１と、該当接面１１の上、下部でそれぞれに連続する上部水平部１２及び下部水平部１３と、この上部水平部１２と上記肘掛部２の上部２１との間に連設される上部傾斜固定部１４と、上記下部水平部１３と上記肘掛部２の下部２２との間に連設される下部傾斜固定部１５から構成される。図１において、肘掛部２の幅方向端部の膨出部２３はガードである。図１からよくわかるように、上部傾斜固定部１４の傾斜面には、ネジ螺入凹部１４１が設けられている。
【００１０】
図２は本発明にかかる肘掛け手摺りの他の実施形態を表す斜視図である。図２に示す肘掛け手摺りＢにおいて、上部傾斜固定部１４の傾斜面には、複数のネジを螺入できる長尺の上部ネジ螺入溝部１４２が設けられ、また、当接面１１の下部に連続する下部水平部１３の一部を長手方向に切欠して、腰壁の上端部を挿入するための挿入部１６が設けられている。また、下部傾斜固定部１５の傾斜面には、複数のネジを螺入できる長尺の下部ネジ螺入溝部１５２が設けられている。
【００１１】
図３は、図１に示した肘掛け手摺りＡを壁面Ｗに取付けた状態を示す側断面図である。図３からよくわかるように、肘掛け手摺りＡは、上部傾斜固定部１４の傾斜面に対して垂直方向に壁面Ｗにネジ留めされている。このようにすることによって、壁面Ｗに対しては、斜め下方向にネジを螺入することにより、肘掛け手摺りＡへの下方向への荷重を支えて、肘掛け手摺りＡが壁面に固定される。また、ネジ螺入凹部１４１に収められたネジの頭はネジキャップＣをネジ螺入凹部１４１に嵌装することによって、外部から見えないようにされている。
【００１２】
図４は、図２に示した肘掛け手摺りＢを壁面Ｗに取付けた状態を示す側断面図である。図４からよくわかるように、肘掛け手摺りＢは、上部傾斜固定部１４及び下部傾斜固定部１５の、それぞれの傾斜面に対して垂直方向にネジを螺入し、壁面Ｗに対しては、斜め下方向及び斜め上方向に互いに交叉するようにネジ留めされている。さらに、挿入部１６に腰壁Ｋの上端部が挿入され、肘掛け手摺りＢを下から支持しているため、肘を掛けたときの荷重を支え、しっかりと、肘掛け手摺りＢを壁面に固定することができる。また、腰壁Ｋの上端部を肘掛け手摺りＢで見切るようにするとともに、上部ネジ螺入溝部１４２に収められたネジの頭はネジカバーＤを上部ネジ螺入溝部１４２に装着することによって、外部から見えないようにされている。同様に、下部ネジ螺入溝部１５２に収められたネジの頭はネジカバーＥを下部ネジ螺入溝部１５２に装着することによって、外部から見えないようにされている。なお、下部ネジ螺入溝部１５２に代えて、ネジ螺入凹部を設けてもよい。また、ネジに代えて釘を用い、釘留めしてもよい。
【００１３】
図５は、本発明にかかる肘掛け手摺りＢを、階段に連なる腰壁Ｋの上端部に取付けた状態を示す斜視図である。図５から、腰壁Ｋを、肘掛け手摺りによってデザイン性よく見切ることができるとともに、高齢者等が手や肘を掛けて、容易に階段を上るようにされていることが明らかである。
【００１４】
以上述べたように、請求項１に記載の発明は、肘を掛けるための肘掛部と、これを壁面に取り付けるための取付け部からなる長尺の手摺りであって、該取付け部は、壁面に当接する当接面と、該当接面の上、下部でそれぞれに連続する上部水平部及び下部水平部と、この上部水平部と上記肘掛部の上部との間に連設される上部傾斜固定部と、上記下部水平部と上記肘掛部の下部との間に連設される下部傾斜固定部と、から構成されており、上部傾斜固定部及び下部傾斜固定部がそれぞれの傾斜面に対して垂直方向に壁面にネジ留め可能とされていて、下部水平部の幅方向寸法を上部水平部の幅方向寸法よりも大きく形成したことを特徴とする肘掛け手摺りである。上記のように構成することにより、簡単な構造で、容易に、かつ、迅速に取付け作業ができ、しかも、上部傾斜固定部の傾斜面に対して垂直方向にネジを螺入し、壁面に対しては、斜め下方向にネジ留めすることにより、しっかりと肘掛け手摺りを壁面に固定することができる肘掛け手摺りを提供することができる。
【００１５】
更に、上記下部傾斜固定部もその傾斜面に対して垂直方向に上記壁面にネジ留め可能とされている。このようにすることによって、上部傾斜固定部及び下部傾斜固定部のそれぞれの傾斜面に対して垂直方向にネジを螺入し、壁面に対しては、斜下方向及び斜め上方向に、相互に交叉するようにネジ留めすることにより、さらに、しっかりと肘掛け手摺りを壁面に固定することができる。
【００１６】
請求項２に記載の発明によれば、上記上部傾斜固定部には、ネジ螺入凹部を設けるとともに、このネジ螺入凹部にネジキャップが嵌装可能とされている。このようにすることによって、請求項１に記載の発明の効果に加え、ネジの頭が外部から見えることはなく、デザイン的に優れたものとすることができる。
【００１７】
請求項３に記載の発明によれば、上記上部傾斜固定部には、複数のネジを螺入できる長尺の上部ネジ螺入溝部を設けるとともに、この上部ネジ螺入溝部にネジカバーが装着可能とされている。このようにすることによって、請求項１に記載の発明の効果に加え、ネジの頭が外部から見えることはなく、デザイン的に優れたものとすることができる。
【００１８】
請求項４に記載の発明によれば、上記当接面下部に連続する下部水平部を長手方向に切欠し、腰壁の上端部を挿入する挿入部が設けられている。このようにすることによって、請求項１に記載の発明の効果に加え、腰壁の上端部が、肘掛け手摺りを下から支持しているため、肘を掛けたときの荷重を支え、しっかりと、
肘掛け手摺りを壁面に固定することができる。
【００１９】
請求項５に記載の発明によれば、上記肘掛部の幅方向端部が膨出部とされている。膨出部を設けることによって、請求項１に記載の発明の効果に加え、手を掛け易くなり、また、肘を掛けた場合もこの膨出部がガードとなって、使用感が向上するとともに、デザイン的にも優れた肘掛け手摺りとすることができる。
【図面の簡単な説明】
【図１】本発明にかかる肘掛け手摺りの一実施形態を表す斜視図である。
【図２】本発明にかかる肘掛け手摺りの他の実施形態を表す斜視図である。
【図３】図１に示した肘掛け手摺りを壁面に取付けた状態を示す側断面図である。
【図４】図２に示した肘掛け手摺りを壁面に取付けた状態を示す側断面図である。
【図５】本発明の肘掛け手摺りを腰壁に取付けた状態を示す斜視図である。
【図６】公知の手摺りを表す側断面図である。
【符号の説明】
１          取付け部
１１        当接面
１２        上部水平部
１３        下部水平部
１４        上部傾斜固定部
１４１      ネジ螺入凹部
１４２      上部ネジ螺入溝部
１５        下部傾斜固定部
１５２      下部ネジ螺入溝部
１６        挿入部
２          肘掛部
２１        肘掛部上部
２２        肘掛部下部
２３        膨出部
６１        公知の手摺り
６２        手当たり部
６３        フック部
６４        固定部
６５        固定部材
６６        手摺り取付部材
６７        引っかけ部
６８        壁面
Ａ          本発明の一実施形態にかかる肘掛け手摺り
Ｂ          本発明の他の実施形態にかかる肘掛け手摺り
Ｃ          ネジキャップ
Ｄ、Ｅ      ネジカバー
Ｋ          腰壁
Ｗ          壁面
【図１】
0003702849.tif 000002
【図２】
0003702849.tif 000003
【図３】
0003702849.tif 000004
【図４】
0003702849.tif 000005
【図５】
0003702849.tif 000006
【図６】
0003702849.tif 000007